(57)【特許請求の範囲】
【請求項１】
四角台の中心線上の右及び左に押しバネで表面に球が突き出ている、其の外側の中心線上に包丁が挿し抜き出来、スイカを切断する際、包丁を上下に動かせる隙間を設けた角状を前記中心線上に前記隙間を合せて設置、其の上に彎曲で少し軟な花状の受け皿を表面の中心部に設けた円板台を、四角台に重ね、円板台の回転軸となる複合ボルトを挿し通し、四角台の下面から押しバネを通し蝶ナットで止めている、このような構成を特微とするスイカを切断する器具。
【請求項２】
四角台の中心線上の右及び左に押しバネで表面に球が突き出ている、其の外側の中心線上に包丁が挿し抜き出来、スイカを切断する際、包丁を上下に動かせる隙間を設けた角状を前記中心線上に前記隙間を合せて設置、其の上に彎曲で少し軟な花状の受け皿を表面の中心部に設け、その四角台に重ねる円板台の受け皿の外周りに、スイカなど切断する際、スイカなどを固定する為の板バネを垂直に複数設置し、その全ての板バネを絞るためのワイヤーロープを巻き、ワイヤーロープの一端は円板台の金具に繋ぎ、ワイヤーロープの片方は円板台にリールで接続、円板台を四角台に重ね、円板台の回転軸となる複合ボルトを刺し通し四角台の下面から押しバネを通し、蝶ナットで止めている、このような構成を特徴とする請求項１に記載のスイカを切断する器具。
【請求項３】
四角台に重ねる円板台の裏面、扇状に等分割した凹部を外周りに複数設け、その円板台を四角台に重ね、円板台の回転軸となる複合ボルトを刺し通し、四角台の下面から、そのボルトに押しバネを通し、押しバネを蝶ナットで止め、その蝶ナットを絞ると押しバネの反発力で、四角台の表面の球は沈み、円板台を回すと前記中心線上で、凹部に押しバネによって球が押し上げられ、円板台は前記中心線上で軽く固定され、受け皿にスイカなどを載せ、リールを巻くと板バネは前記ワイヤーロープによってスイカなどを受け皿の中心で固定、包丁を前記角状の隙間から挿し通し、片方にグリップを付けて切断するこのような機能を特徴とする請求項１及び請求項２に記載のスイカなどを切断する器具。
【発明の詳細な説明】
【技術分野】
【０００１】  本発明はスイカなどを常に等分に切る事の出来る器具に関するものである。
【背景技術】
【０００２】  従来スイカなどを等分に切断するさい包丁又は、押し切りカッターなどによって、刃を取り換えるなどして、切断しているが、大きさにばらつきが出るなど、幾つかの不具合が生じている。
【発明の概要】
【発明が解決しようとする課題】
【０００３】  上記に述べたスイカなど切断する際、大きさにばらつきが出る現状を踏まえ、刃を取り換えることなく等分に切断出来る、器具を提供することを目的とする。
【課題を解決するための手段】
【０００４】  この問題を解決するための請求項１の発明は、上記目的を達成するため、四角台１及び、円板台２の二枚の台で構成し、まず四角台の表面、中心の中心線上の右及び左、つまり上に重ねる、円板台の外周りの位置に、押しバネ２４によって球が四角台の表面に突き出るよう設置、其の外側、つまり上に重ねる円板台より外側の、四角台の中心線上に、包丁が挿し抜き出来き、スイカなどを切断るさい、包丁を上下に動かせる隙間を設けた角状を、四角台の中心線上に隙間を合せて、円板台より外側の右及び左に垂直に設置している。【０００５】  円板台の裏面の外周り、つまり四角台の球が表面に出ている位置、中心から扇状に等分割した凹部を円板台の裏面の外周りに複数設けている。【０００６】  円板台の表面の中心部には、スイカなどが安定しての載せられるよう、彎曲で少し軟な花状の受け皿を、円板台の表面の中心部に取り付け、その取り付けた受け皿の外周りに、上部にスイカなど固定を良くする為のスポンジを上部の内側、つまりスイカなどに接する面、に付けた板バネを受け皿の外周りの、円板台に垂直に複数設置し、その板バネの少し下よりに、スイカなどを切断する際、全ての板バネを絞る事によって、スイカなどを受け皿の中心で固定する為のワイヤーロープを巻き、ワイヤーロープの一端は円板台の金具に繋ぎ、ワイヤーロープの片方は円板台にリールで接続され、其の円板台を四角台に重ね、円板台の回転軸となる複合ボルトを挿し通し、その複合ボルトに四角台の下面から押しバネ１８を通し、蝶ナット止めている。【０００７】  その蝶ナットを締める事により、四角台の中心線上の右及び左の表面、つまり円板台の外周りの位置に押しバネ２４によって突き出ていた球が、押しバネ１８の反発力で四角台の表面から沈み、円板台を回転さすと、円板台の裏面の等分割した凹部の位置が回って来ると、四角台の押しバネ２４によって、円板台裏面の凹部に球が押し上げられ、円板台は四角台の中心線上で軽く固定される。【０００８】  円板台の受け皿にスイカなどを載せリールを巻くと、ワイヤーロープの片方はリールに巻き取られ、全ての板バネの上部は周りを小さくし、スイカなどは円板台の受け皿の中心部で固定され、包丁を前記角状の隙間から挿し通し、片方にグリップを付けて包丁を押し下げると、スイカなどは２等分に、包丁を上に戻し円板台を９０度回転さすと四角台の押しバネ２４よって、円板台の裏面の等分割した凹部に球が押し上げられ、円板台は四角台の中心線上で軽く固定され、包丁を押し下げるとスイカなどは４等分に、更に円板台を回転して切る事で容易に幾等分にでも切断することが出来る。切り終ると片方のグリップを取り、前記角状の隙間より包丁抜き取りリールを戻せば板バネは元に戻り、切り終えたスイカなどを、前記受け皿から取り出す、このような機能を備えたスイカなどを切断する器具。
【発明の効果】
【０００９】  本発明により、従来容易に等分に切断することが出来なかった、スイカなどを、上記に述べた機能を備えた器具によって、不慣れな人でも安定して等分に切断することが出来き、安全で使い易い機能を備えた器具の基で等分に切断することができるので、迷うことなく、切り売りスイカなどを買い求めることが出来る。
【図面の簡単な説明】
【００１０】
【図１】四角台の斜視図
【図２】円板台に受け皿を重ねた平面図
【図３】四角台に円板台を重ねた平面図
【図４】側面図
【図５】包丁本体
【図６】グリップ
【発明を実施するための形態】
【００１１】  以下、本発明のスイカなどを切断する器具の実施の形態について、図面を参照して説明する。
【００１２】  図１は、本発明の四角台の斜視図である。図１に示すように四角台の中心３の線上４の右及び左に押しバネ２４によって、四角台の表面、つまり上に重ねる円板台の外周りの位置に球５が突き出るよう設置し、その外側、つまり円板台より外側の四角台の中心３線上４に、包丁６が挿し抜き出来き、スイカなどを切断する際に、包丁６を上下に動かせる隙間７を設けた角状８を四角台の中心３線上４に隙間７を合せて、円板台より外側の中心３線上４の右及び左に垂直に設置している。
【００１３】  四角台に重ねる円板台の裏面、つまり四角台の表面に押しバネ２４により球５が突き出ている位置に、中心から扇状に等分割した凹部９を、円板台の外周りに等角度で複数設けている。
【００１４】  円板台の表面の中心部には、スイカなどを載せた際、安定を良くする為に、彎曲で少し軟な花状の受け皿１０を設け、その受け皿１０の外周りに、スイカなどを切断する際、スイカなどを固定する為のスポンジ１１を上部の内側、つまりスイカなどに接する面、に付けた板バネ１２を受け皿１０の外周りに垂直に複数設置し、その板バネ１２の外周りの少し下よりに、スイカなどを切断する際、全ての板バネ１２を絞る事によって、スイカなどを中心で固定する為のワイヤーロープ１３を巻き、ワイヤーロープの一端１４は円板台表面の金具１５に繋ぎ、ワイヤーロープの片方は円板台にリール１６で接続、円板台を四角台に重ね、円板台の回転軸となる複合ボルト１７を挿し通し、其の複合ボルト１７に四角台の下面から押しバネ１８を通し、蝶ナット１９で止めている。
【００１５】  その押しバネ１８を止めている蝶ナット１９を締める事により、四角台の中心３線上４の表面に、突き出されていた球５は、押しバネ１８の反発力で四角台の表面から沈み、円板台を回転さすと、裏面の等分割した凹部９の位置が回って来ると、四角台の押しバネ２４によって凹部９に球が押し上げられ円板台は四角台の中心３線上４で軽く固定される。
【００１６】  円板台の受け皿１０にスイカなどを載せリール１６を巻くと、ワイヤーロープ１３の片方はリール１６に巻き取られ、全ての板バネ１２の上部は周りを小さくし、スイカなどは受け皿１０の中心で固定され、包丁６を前記角状の隙間７から挿し通し、片方にグリップ２０を付けて、包丁６を押し下げるとスイカなどは２等分に、包丁６を上に戻し、円板台を９０度回すと前記凹部９の位置で、四角台の押しバネ２４によって前記凹部９に球５が押し上げられ、円板台は前記中心３線上４で軽く固定され、包丁６を押し下げるとスイカなどは４等分に切断できる。
【００１７】  更に円板台を回し戻す操作を繰り返して切断する事で、安定した等分に容易に切断出きる、切り終るとグリップ２０を取り、包丁６を前記角状８の隙間７から抜き取り、リール１６を戻せば板バネ１２は元に戻り、切り終えたスイカなどを円板台の前記受け皿１０から取り出す、このような機能を有するスイカなどを切断する器具。
【００１８】  なお、スイカで説明したが、かぼちゃなどの果実ならびに野菜などを対象に切断することもできる。
【符号の説明】
【００１９】  １    四角台
２    円板台
３    中心
４    線上
５    球
６    包丁
７    隙間
８    角状
９    凹部
１０  受け皿
１１  スポンジ
１２  板バネ
１３  ワイヤーロープ
１４  ワイヤーロープ一端
１５  金具
１６  リール
１７  複合ボルト
１８  押しバネ
１９  蝶ナット
２０  グリップ
２１  取手
２２  下駄
２３  固定用ビス
２４  押しバネ
２５  蝶ボルト
２６  ワイヤーガイド
２７  スイカ
【要約】
【課題】  従来スイカなど切り売りの際、大きさにばらつきがある。
【解決手段】  
四角台１と円板台２の２枚台で構成し、台１の表面にバネで凸を設けその外側に包丁が挿し抜き出来上下に動かせる隙間の有る角状を台１の中心線の中心の右及び左に垂直に設置し、台２の裏面の外周りに中心から放射等分した複数の凹を設け台２表面に受け皿を持ち、受け皿の外回りに板バネを複数垂直に配置し、バネの外側にワイヤーロープを巻き一端は台に固定、片方はリールに繋いでいる台２を台１に重ね、台２の軸となる複合ボルトを通し台１の裏面からボルトにバネを通し蝶ナットで止め台２を回すと各台の凹凸面が交わると前記線上で軽く固定され受け皿にスイカを載せリールを巻くと、板バネによってスイカは固定され、包丁を前記角状の隙間より挿し通しグリップを付、包丁を押し下げると２等分に更に台２を回して切る事により、幾等分に切断で切る。
【選択図】図４【図１】
0005347101.tif 000002
【図２】
0005347101.tif 000003
【図３】
0005347101.tif 000004
【図４】
0005347101.tif 000005
【図５】
0005347101.tif 000006
【図６】
0005347101.tif 000007